(57)【要約】      （修正有）【課題】農作物の光合成を強化し、収穫を早め、農作物の品質を高める農業用光変換ハウスフィルムを提供する。【解決手段】農業用光変換ハウスフィルムであって、内側から外側へ順次にポリエチレンベース層１、ポリエチレン中層４及びポリエチレン外層５を含み、三者を共押出したものである。ポリエチレンベース層１に防曇層６及び流滴層２が設けられ、ポリエチレン中層４に保温層３が設けられ、ポリエチレン外層５に光変換層７が設けられている。本ハウスフィルムは、三層共押出により、無滴剤につれて失えやすい光変換、防曇、流滴等の機能が階層的に実現され、共押出装置の優位性に応じて階層的、合理的に配合することにより、光変換、防曇、流滴等の特性の材料を異なるポリエチレン層に封じ込める。【選択図】図３
0003204049.tif 000002
【実用新案登録請求の範囲】
【請求項１】
少なくとも２層のポリエチレン層を有し、ポリエチレンベース層（１）及びポリエチレン中層（４）を含み、前記ポリエチレンベース層（１）とポリエチレン中層（４）との間に流滴層（２）が設けられ、前記ポリエチレン中層（４）上に光変換層（７）が設けられており、
前記ポリエチレンベース層（１）、光変換層（７）、流滴層（２）及びポリエチレン中層（４）は共押出成形される、ことを特徴とする農業用光変換ハウスフィルム。
【請求項２】
前記ポリエチレン中層（４）の表面に保温層（３）が設けられていることを特徴とする請求項１に記載の農業用光変換ハウスフィルム。
【請求項３】
前記ポリエチレンベース層（１）に防曇層（６）が設けられていることを特徴とする請求項１に記載の農業用光変換ハウスフィルム。
【請求項４】
前記保温層（３）はハイドロタルサイト層であることを特徴とする請求項２に記載の農業用光変換ハウスフィルム。
【請求項５】
前記ポリエチレン中層（４）は、メタロセンポリエチレン、低密度ポリエチレン、線状低密度ポリエチレン、保温剤及び流滴剤を含み、それらの材料を混合して共押出成形することを特徴とする請求項２に記載の農業用光変換ハウスフィルム。
【請求項６】
さらに、ポリエチレン外層（５）を含み、前記ポリエチレン中層（４）の表面に保温層（３）が設けられ、前記ポリエチレン外層（５）の外表面に光変換層（７）が設けられていることを特徴とする請求項１に記載の農業用光変換ハウスフィルム。
【請求項７】
前記ポリエチレンベース層（１）は、メタロセンポリエチレン、低密度ポリエチレン、線状低密度ポリエチレン、防曇剤及び流滴剤を含み、それらの材料を混合して共押出成形することを特徴とする請求項６に記載の農業用光変換ハウスフィルム。
【請求項８】
ポリエチレン外層（５）は、メタロセンポリエチレン、低密度ポリエチレン、線状低密度ポリエチレン、光変換剤を含み、それらの材料を混合して共押出成形することを特徴とする請求項６に記載の農業用光変換ハウスフィルム。
【考案の詳細な説明】
【技術分野】
【０００１】
本考案はフィルム製品の技術分野に関し、特に農業用光変換ハウスフィルムに関する。
【背景技術】
【０００２】
太陽光が地球表面に放射する波長は約２８０〜３０００nmであり、紫外光、可視光、赤外光を含む。紫外光の波長は約２８０〜３５０nm、可視光（紫、青、ブルー、緑、黄、橙、赤の７色を含む。）の波長は約４００〜８００nm、赤外光の波長は約８００〜３０００nmである。科学的研究によれば、緑色植物の光合成をするクロロフィルが主に吸収するスペクトルは４００nm-４８０nmの青紫光領域及び６００nm-６８０nmの赤橙光領域である。緑色光の植物の光合成に対する影響は大きくないが、比較的多くの紫外光は野菜に対して二面性がある。即ち、紫外光はビニルハウス及び植物の栽培に悪い影響を与える場合がある。例えば、ビニルハウスを覆うフィルムを早く老化させ、その耐用年数が短縮される。また、あるカビと細菌の繁殖が速くなり、蛾類昆虫の虫害発生率が高まる。農業の専門家によれば、異なるフィルムについて病菌の繁殖試験及び抑制試験を行った結果、波長が２８０〜３５０nmの紫外光が病菌及び灰黴菌原種菌系の成長繁殖に最も適することを見出した。
【０００３】
農業ビニルハウス被覆用プラスチックフィルムは、通常、透明或いは半透明である。地球表面に達する太陽光はプラスチックビニルハウスフィルムに入る時、一部はプラスチックフィルムにより反射され、一部はプラスチックフィルムを透過してビニルハウスに入る。農地での試験によれば、光変換フィルムを使用してビニルハウスを被覆することは、農作物の光合成を強化し、農作物の収穫を早め、及び農作物の実の品質を高めるという効果を有し、経済的利益を顕著に増加させることが実証された。
【０００４】
光変換剤の開発及び利用の観点から、緑色光変換をメインとすれば、光変換作用を確実に発揮することができる。現在使用されている光変換剤は、紫外光を青色光及び赤色光に変換し、或いは緑色光を赤色光に変換する機能しかないことが多い。また、光変換、防曇、流滴性能の保持時間が短く、光変換農業用フィルム全体の応用効果をうまく現すことができない。
【考案の概要】
【０００５】
本考案は、多層構造を有し、光変換、防曇、流滴などの特性を有する材料を異なるポリエチレン層に良好に封じ込めることができ、従来の光変換剤、無滴剤、防曇剤が流出し易さ及び互いの衝突により使用効果が悪くなるという問題を解決する、農業用光変換ハウスフィルムを提供することを目的とする。
【０００６】
本考案の前記技術目的は以下の技術案により実現される。即ち、少なくとも２層のポリエチレン層を有し、ポリエチレンベース層及びポリエチレン中層を含み、前記ポリエチレンベース層とポリエチレン中層との間に流滴層が設けられ、前記ポリエチレン中層上に光変換層が設けられ、前記ポリエチレンベース層、光変換層、流滴層及びポリエチレン中層は共押出成形される、ことを特徴とする農業用光変換ハウスフィルム。
【０００７】
本技術案によれば、ポリエチレンベース層、光変換層、流滴層及びポリエチレン中層は共押出機により１枚のフィルムに共押出成形され、光変換、流滴性能の物質がポリエチレン層に封じ込めることによって、それらの流出が減少され、農業用フィルムの耐用年数が延長される。同時に、光変換、流滴性能の物質がポリエチレン層により離隔されることにより、互いの衝突によりハウスフィルムの使用効果が悪くなることを避ける。太陽光がハウスフィルムに照射され、紫外光、緑色光は光変換層７を通過して変換層により植物の成長に有利である青色光、赤色光に変換される。本光変換層は、有機蛍光顔料光変換剤及び希土類有機錯体光変換剤で製造されたものである。
【０００８】
さらに、前記ポリエチレン中層の表面に保温層が設けられる。
【０００９】
さらに、前記ポリエチレンベース層に防曇層が設けられる。
【００１０】
さらに、前記保温層はハイドロタルサイト層である。
【００１１】
本技術案によれば、ハウスフィルムに保温機能が追加され、ハウスフィルムは北側の比較的寒い地域或いは寒い冬場に適用されるようになる。
【００１２】
さらに、前記ポリエチレン中層は、メタロセンポリエチレン、低密度ポリエチレン、線状低密度ポリエチレン、保温剤及び流滴剤を含み、それらの材料を混合して共押出成形したものである。
【００１３】
さらに、ポリエチレン外層を含み、前記ポリエチレン中層の表面に保温層が設けられ、前記ポリエチレン外層の外表面に光変換層が設けられている。
【００１４】
さらに、前記ポリエチレンベース層は、メタロセンポリエチレン、低密度ポリエチレン、線状低密度ポリエチレン、防曇剤及び流滴剤を含み、それらの材料を混合して共押出成形する。
【００１５】
さらに、ポリエチレン外層は、メタロセンポリエチレン、低密度ポリエチレン、線状低密度ポリエチレン、光変換剤を含み、それらの材料を混合して共押出成形する。
【００１６】
本考案によれば、三層共押出により、無滴剤につれ流失しやすい光変換、防曇、流滴等の機能が階層的に実現され、共押出装置の優位性に応じて階層的、合理的に配合することにより、光変換、防曇、流滴等の特性の材料を異なるポリエチレン層に封じ込め、従来の光変換剤、無滴剤、防曇剤が流出し易く、及び互いの衝突により使用効果が悪くなるという問題を解決する。
【００１７】
以上のように、本考案は以下の有益的な効果がある。即ち、本ハウスフィルムは紫外光、緑色光等の植物の成長に不利である光線を植物の成長に有利である青色光、赤色光に変換するだけでなく、多層共押出技術により、光変換、防曇、流滴等の特性の材料を異なるポリエチレン層に封じ込め、従来の光変換剤、無滴剤、防曇剤が流出し易い、及び互いの衝突により使用効果が悪くなるという問題を解決する。
【図面の簡単な説明】
【００１８】
【図１】本実施例１の概略構成図である。
【図２】本実施例２の概略構成図である。
【図３】本実施例３の概略構成図である。
【考案を実施するための形態】
【００１９】
以下、図面を参照しながら、本考案をさらに詳しく説明する。
【００２０】
尚、以下の実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、本考案の権利範囲に含まれるものと解釈すべきである。
【００２１】
実施例１
図１に示すように、農業用光変換ハウスフィルムは２層のポリエチレン層を有する。ポリエチレンベース層１及びポリエチレン中層４を含み、ポリエチレンベース層１とポリエチレン中層４との間に流滴層２が設けられ、ポリエチレン中層４の表面に光変換層７が設けられ、それらは共押出機により共押出成形される。流滴及び光変換性能の物質はポリエチレン層により封じ込められ、それらの流出が減少され、農業用フィルムの耐用年数が延長される。ポリエチレンベース層１は、メタロセンポリエチレン、低密度ポリエチレン及び線状低密度ポリエチレンを含み、この３種類の材料と防曇剤及び流滴剤とを混合して押出機により共押出ブロー成形したものである。光変換層７は、有機蛍光顔料光変換剤及び希土類有機錯体光変換剤で製造されたものである。
【００２２】
太陽光はハウスフィルムに照射され、紫外光、緑色光は光変換層７を通過して変換層により植物の成長に有利である青色光、赤色光に変換される。
【００２３】
実施例２
図２に示すように、農業用光変換ハウスフィルムは２層のポリエチレン層を有する。ポリエチレンベース層１及びポリエチレン中層４を含み、両者を共押出したものである。ポリエチレンベース層１は、メタロセンポリエチレン、低密度ポリエチレン及び線状低密度ポリエチレンを含み、３種類の材料を混合して押出機により共押出ブロー成形したものである。ポリエチレンベース層１とポリエチレン中層４との間に流滴層２が設けられ、共押出機により共押出成形された。防曇層６はポリエチレンベース層１の外表面にあり、流滴層２はポリエチレンベース層１の内表面にある。
【００２４】
ポリエチレン中層４は、メタロセンポリエチレン、低密度ポリエチレン、線状低密度ポリエチレン、保温剤及び流滴剤を含み、それらの材料を混合して共押出成形したものである。ポリエチレン中層４の外表面にさらに保温層３が設けられている。保温層３はハイドロタルサイトを採用して製造されたものである。ポリエチレン中層４の外表面にさらに光変換層７が設けられ、光変換層７は有機蛍光顔料光変換剤及び希土類有機錯体光変換剤で製造されたものである。
【００２５】
太陽光がハウスフィルムに照射され、紫外光、緑色光は光変換層７を通過して変換層により植物の成長に有利である青色光、赤色光に変換される。そして、このようなハウスフィルムは保温層３を有することにより、北側の比較的寒い地域或いは寒い冬場に適用される。
【００２６】
実施例３
参考図３、農業用光変換ハウスフィルムは３層のポリエチレン層を有する。内から外までさらに順次にポリエチレンベース層１、ポリエチレン中層４及びポリエチレン外層５を含み、三者を共押出したものである。ポリエチレンベース層１は、メタロセンポリエチレン、低密度ポリエチレン及び線状低密度ポリエチレンを含み、この３種類の材料を混合して押出機により共押出ブロー成形したものである。ポリエチレンベース層１の内表面に流滴層２が設けられ、その外表面にさらに層防曇層６が設けられている。ポリエチレン中層４は、メタロセンポリエチレン、低密度ポリエチレン、線状低密度ポリエチレン、保温剤及び流滴剤を含み、それらの材料を混合して共押出成形したものである。ポリエチレン中層４の表面に保温層３がある。保温層３はハイドロタルサイトを採用して製造されたものである。
【００２７】
ポリエチレン外層５は、メタロセンポリエチレン、低密度ポリエチレン、線状低密度ポリエチレン、光変換剤を含み、それらの材料を混合して共押出成形したものである。その外表面にさらに光変換層７が設けられており、光変換層７は、有機蛍光顔料光変換剤及び希土類有機錯体光変換剤で調製されたものである。
【００２８】
本ハウスフィルムは、三層共押出により、無滴剤によって失われやすい光変換、防曇、流滴等の機能が階層的に実現され、共押出装置の優位性に応じて階層的、合理的に配合することにより、光変換、防曇、流滴等の特性の材料を異なるポリエチレン層に封じ込め、従来の光変換剤、無滴剤、防曇剤が流出し易い、及び互いの衝突により使用効果が悪くなるという問題を解決する。
【符号の説明】
【００２９】
１、ポリエチレンベース層、２、流滴層、３、保温層、４、ポリエチレン中層、５、ポリエチレン外層、６、防曇層、７、光変換層。
【図１】
0003204049.tif 000003
【図２】
0003204049.tif 000004
【図３】
0003204049.tif 000005